【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
衣服画像を取得する衣服画像取得手段と、
前記衣服画像の複数の画素ラインの各々について、衣服が表された領域に含まれる画素の個数を取得する画素数取得手段と、
前記複数の画素ラインの前記個数の度数分布に基づいて、前記複数の画素ラインのうちから、前記衣服の肩部分又は腰部分に対応する画素ラインを特定する特定手段と、
を含むことを特徴とする衣服画像処理システム。
【請求項２】
請求項１に記載の衣服画像処理システムにおいて、
前記特定手段は、前記度数分布における曲率の変化に基づいて、前記肩部分又は前記腰部分に対応する画素ラインを特定する、
ことを特徴とする衣服画像処理システム。
【請求項３】
請求項１又は２に記載の衣服画像処理システムにおいて、
前記衣服画像取得手段は、上半身に着用する第１の衣服の画像である第１の衣服画像を取得する第１の衣服画像取得手段を含み、
前記画素数取得手段は、前記第１の衣服画像の複数の画素ラインの各々について、前記第１の衣服が表された領域に含まれる画素の個数を取得する手段を含み、
前記特定手段は、前記第１の衣服画像の前記複数の画素ラインの前記個数の度数分布に基づいて、前記第１の衣服画像の前記複数の画素ラインのうちから、前記肩部分に対応する画素ラインを特定する手段を含む、
ことを特徴とする衣服画像処理システム。
【請求項４】
請求項３に記載の衣服画像処理システムにおいて、
前記衣服画像取得手段は、下半身に着用する第２の衣服の画像である第２の衣服画像を取得する第２の衣服画像取得手段を含み、
前記衣服画像処理システムは、
前記第１の衣服画像における前記第１の衣服の肩部分の幅を取得する手段であって、前記肩部分に対応する前記画素ラインにおける前記第１の衣服の幅を取得する第１の幅取得手段と、
前記第１の幅取得手段によって取得された幅に基づいて、前記第１の衣服画像のサイズを調整する第１のサイズ調整手段と、
前記第２の衣服画像における前記第２の衣服の腰部分の幅を取得する第２の幅取得手段と、
前記第２の幅取得手段によって取得された幅に基づいて、前記第２の衣服画像のサイズを調整する第２のサイズ調整手段と、
前記第１の衣服と前記第２の衣服とを上下方向に並べて表示する画面を、前記第１のサイズ調整手段による調整後の前記第１の衣服画像と、前記第２のサイズ調整手段による調整後の前記第２の衣服画像と、に基づいて表示手段に表示させる表示制御手段と、をさらに含む、
ことを特徴とする衣服画像処理システム。
【請求項５】
請求項１又は２に記載の衣服画像処理システムにおいて、
前記衣服画像取得手段は、下半身に着用する第２の衣服の画像である第２の衣服画像を取得する第２の衣服画像取得手段を含み、
前記画素数取得手段は、前記第２の衣服画像の複数の画素ラインの各々について、前記第２の衣服が表された領域に含まれる画素の個数を取得する手段を含み、
前記特定手段は、前記第２の衣服画像の前記複数の画素ラインの前記個数の度数分布に基づいて、前記第２の衣服画像の前記複数の画素ラインのうちから、前記腰部分に対応する画素ラインを特定する手段を含む、
ことを特徴とする衣服画像処理システム。
【請求項６】
請求項５に記載の衣服画像処理システムにおいて、
前記衣服画像取得手段は、上半身に着用する第１の衣服の画像である第１の衣服画像を取得する第１の衣服画像取得手段を含み、
前記衣服画像処理システムは、
前記第１の衣服画像における前記第１の衣服の肩部分の幅を取得する第１の幅取得手段と、
前記第１の幅取得手段によって取得された幅に基づいて、前記第１の衣服画像のサイズを調整する第１のサイズ調整手段と、
前記第２の衣服画像における前記第２の衣服の腰部分の幅を取得する手段であって、前記腰部分に対応する前記画素ラインにおける前記第２の衣服の幅を取得する第２の幅取得手段と、
前記第２の幅取得手段によって取得された幅に基づいて、前記第２の衣服画像のサイズを調整する第２のサイズ調整手段と、
前記第１の衣服と前記第２の衣服とを上下方向に並べて表示する画面を、前記第１のサイズ調整手段による調整後の前記第１の衣服画像と、前記第２のサイズ調整手段による調整後の前記第２の衣服画像と、に基づいて表示手段に表示させる表示制御手段と、をさらに含む、
ことを特徴とする衣服画像処理システム。
【請求項７】
請求項４又は６に記載の衣服画像処理システムにおいて、
前記第１の幅取得手段によって取得された幅と、所定の第１の基準長と、の間の相違の程度に基づいて、前記第１の衣服画像の拡大率又は縮小率を決定する第１の拡大／縮小率決定手段をさらに含み、
前記第１のサイズ調整手段は、前記第１の拡大／縮小率決定手段によって決定された拡大率又は縮小率に基づいて、前記第１の衣服画像を拡大又は縮小する、
ことを特徴とする衣服画像処理システム。
【請求項８】
請求項４，６，７のいずれかに記載の衣服画像処理システムにおいて、
前記第２の幅取得手段によって取得された幅と、所定の第２の基準長と、の間の相違の程度に基づいて、前記第２の衣服画像の拡大率又は縮小率を決定する第２の拡大／縮小率決定手段をさらに含み、
前記第２のサイズ調整手段は、前記第２の拡大／縮小率決定手段によって決定された拡大率又は縮小率に基づいて、前記第２の衣服画像を拡大又は縮小する、
ことを特徴とする衣服画像処理システム。
【請求項９】
請求項４，６乃至８のいずれかに記載の衣服画像処理システムにおいて、
前記表示制御手段は、前記第１の衣服と前記第２の衣服とを人の肩及び腰の位置関係に対応する位置関係を有するようにして表示する前記画面を、前記第１のサイズ調整手段による調整後の前記第１の衣服画像と、前記第２のサイズ調整手段による調整後の前記第２の衣服画像と、に基づいて前記表示手段に表示させる、
ことを特徴とする衣服画像処理システム。
【請求項１０】
請求項４，６乃至９のいずれかに記載の衣服画像処理システムにおいて、
前記表示制御手段は、
前記第１の衣服と前記第２の衣服とを人の肩及び腰の位置関係に対応する位置関係を有するようにして表示する前記画面において、前記第１の衣服画像の、当該画面における上下方向の表示位置を、前記肩部分に対応する画素ラインに基づいて設定する手段と、
前記第１の衣服と前記第２の衣服とを人の肩及び腰の位置関係に対応する位置関係を有するようにして表示する前記画面において、前記第２の衣服画像の、当該画面における上下方向の表示位置を、前記腰部分に対応する画素ラインに基づいて設定する手段と、を含む、
ことを特徴とする衣服画像処理システム。
【請求項１１】
請求項４，６乃至１０のいずれかに記載の衣服画像処理システムにおいて、
上半身に着用する衣服のカテゴリの指定を受け付ける手段と、
下半身に着用する衣服のカテゴリの指定を受け付ける手段と、をさらに含み、
前記表示制御手段は、
上半身に着用する衣服のカテゴリの指定が受け付けられた場合、指定されたカテゴリに
属する前記第１の衣服を表示する前記画面を、前記第１のサイズ調整手段による調整後の
前記第１の衣服画像に基づいて前記表示手段に表示させる手段と、
下半身に着用する衣服のカテゴリの指定が受け付けられた場合、指定されたカテゴリに
属する前記第２の衣服を表示する前記画面を、前記第２のサイズ調整手段による調整後の
前記第２の衣服画像に基づいて前記表示手段に表示させる手段と、を含む、
ことを特徴とする衣服画像処理システム。
【請求項１２】
請求項４，６乃至１１のいずれかに記載の衣服画像処理システムにおいて、
前記第１の衣服画像取得手段は、ユーザによって撮影又は指定された、上半身に着用す
る衣服の画像を前記第１の衣服画像として取得する手段を含み、
前記第２の衣服画像取得手段は、前記ユーザによって撮影又は指定された、下半身に着
用する衣服の画像を前記第２の衣服画像として取得する手段を含む、
ことを特徴とする衣服画像処理システム。
【請求項１３】
請求項１乃至１２のいずれかに記載の衣服画像処理システムにおいて、
前記衣服画像の背景領域を検出する背景領域検出手段と、
前記衣服画像から前記背景領域を除去する背景領域除去手段と、をさらに含み、
前記背景領域検出手段は、
前記衣服画像の各辺に隣接する画素ラインを前記背景領域として初期設定する手段と、
前記背景領域内の画素と同一又は類似の色を、該画素に隣接する隣接画素が有しているか否かを判定する手段と、
前記背景領域内の画素と同一又は類似の色を前記隣接画素が有している場合に、該隣接画素を前記背景領域に加えることによって前記背景領域を拡張する手段と、を含む、
ことを特徴とする衣服画像処理システム。
【請求項１４】
靴画像を取得する靴画像取得手段と、
前記靴画像における靴の幅を取得する手段であって、前記靴の最上部から、前記靴の高さに所定係数α（０＜α＜１）を乗じることによって得られる距離だけ下方に離れた位置にある画素ラインにおける前記靴の幅を取得する幅取得手段と、
前記幅取得手段によって取得された幅に基づいて、前記靴画像のサイズを調整するサイズ調整手段と、
を含むことを特徴とする靴画像処理システム。
【請求項１５】
請求項１４に記載の靴画像処理システムにおいて、
前記幅取得手段によって取得された幅と、所定の基準長と、の間の相違の程度に基づいて、前記靴画像の拡大率又は縮小率を決定する拡大／縮小率決定手段をさらに含み、
前記サイズ調整手段は、前記拡大／縮小率決定手段によって決定された拡大率又は縮小率に基づいて、前記靴画像を拡大又は縮小する、
ことを特徴とする靴画像処理システム。
【請求項１６】
請求項１４又は１５に記載の靴画像処理システムにおいて、
上半身に着用する第１の衣服の画像である第１の衣服画像を取得する第１の衣服画像取得手段と、
前記第１の衣服画像における前記第１の衣服の肩部分の幅を取得する手段と、
前記第１の衣服の肩部分の幅に基づいて、前記第１の衣服画像のサイズを調整する手段と、
下半身に着用する第２の衣服の画像である第２の衣服画像を取得する第２の衣服画像取得手段と、
前記第２の衣服画像における前記第２の衣服の腰部分の幅を取得する手段と、
前記第２の衣服の腰部分の幅に基づいて、前記第２の衣服画像のサイズを調整する手段と、
前記第１の衣服と前記第２の衣服と前記靴とを上下方向に並べて表示する画面を、サイズ調整後の前記第１の衣服画像と、サイズ調整後の前記第２の衣服画像と、サイズ調整後の前記靴画像と、に基づいて前記表示手段に表示させる表示制御手段と、を含む、
ことを特徴とする靴画像処理システム。
【請求項１７】
請求項１６に記載の靴画像処理システムにおいて、
前記表示制御手段は、前記第１の衣服と前記第２の衣服と前記靴とを人の肩、腰、及び足の位置関係に対応する位置関係を有するようにして表示する画面を、サイズ調整後の前記第１の衣服画像と、サイズ調整後の前記第２の衣服画像と、サイズ調整後の前記靴画像と、に基づいて前記表示手段に表示させる、
ことを特徴とする靴画像処理システム。
【請求項１８】
衣服画像を取得する衣服画像取得ステップと、
前記衣服画像の複数の画素ラインの各々について、衣服が表された領域に含まれる画素の個数を取得する画素数取得ステップと、
前記複数の画素ラインの前記個数の度数分布に基づいて、前記複数の画素ラインのうちから、前記衣服の肩部分又は腰部分に対応する画素ラインを特定する特定ステップと、
を含むことを特徴とする衣服画像処理方法。
【請求項１９】
衣服画像を取得する衣服画像取得手段、
前記衣服画像の複数の画素ラインの各々について、衣服が表された領域に含まれる画素の個数を取得する画素数取得手段、及び、
前記複数の画素ラインの前記個数の度数分布に基づいて、前記複数の画素ラインのうちから、前記衣服の肩部分又は腰部分に対応する画素ラインを特定する特定手段、
としてコンピュータを機能させるためのプログラム。
【請求項２０】
靴画像を取得する靴画像取得ステップと、
前記靴画像における靴の幅を取得するステップであって、前記靴の最上部から、前記靴の高さに所定係数α（０＜α＜１）を乗じることによって得られる距離だけ下方に離れた位置にある画素ラインにおける前記靴の幅を取得する幅取得ステップと、
前記幅取得ステップによって取得された幅に基づいて、前記靴画像のサイズを調整するサイズ調整ステップと、
を含むことを特徴とする靴画像処理方法。
【請求項２１】
靴画像を取得する靴画像取得手段、
前記靴画像における靴の幅を取得する手段であって、前記靴の最上部から、前記靴の高さに所定係数α（０＜α＜１）を乗じることによって得られる距離だけ下方に離れた位置にある画素ラインにおける前記靴の幅を取得する幅取得手段、及び、
前記幅取得手段によって取得された幅に基づいて、前記靴画像のサイズを調整するサイズ調整手段、
としてコンピュータを機能させるためのプログラム。